(57)【要約】【課題】簡易な操作で、拡大表示を用いて複数の画像の中からプリント対象画像を決定することが可能なデジタルカメラを提供する。【解決手段】デジタルカメラは、画像毎のプリントに関する設定を行うプリント設定画面Ｇｐを表示するＬＣＤ５と、プリント設定画面の画像を拡大表示すべき旨の拡大指示を入力する実行ボタン７ｅと、画像の拡大表示時点においてＬＣＤ５に表示される画像の切替指示を入力するプリントボタン１３、保留ボタン８ｃ等とを備える。拡大表示時点（例えば、状態ＳＴ６２）において画像の切替指示が与えられると、切替後の画像も拡大された状態（例えば、状態ＳＴ７２）でＬＣＤ５に表示される。【選択図】図２４
2005117326.tif 000002
【特許請求の範囲】
【請求項１】
デジタルカメラであって、
画像毎のプリントに関する設定を行うプリント設定画面を表示する表示手段と、
前記プリント設定画面の画像を拡大表示すべき旨の拡大指示を入力する第１の入力手段と、
画像の拡大表示時点において、前記表示手段に表示される画像の切替指示を入力する第２の入力手段と、
画像に対する前記拡大指示が与えられたときには当該画像を拡大して前記表示手段に表示させるとともに、さらに前記拡大表示時点において前記切替指示が与えられたときには切替後の画像をも拡大した状態で前記表示手段に表示させる制御手段と、
を備えることを特徴とするデジタルカメラ。
【請求項２】
請求項１に記載のデジタルカメラにおいて、
前記第２の入力手段は、各画像のプリント設定内容を確定させる指示を入力する機能をも有するプリントボタン、各画像を削除する指示を入力する機能をも有する削除ボタン、および各画像のプリント指定を破棄する指示を入力する機能をも有する保留ボタン、のいずれかとして設けられることを特徴とするデジタルカメラ。
【請求項３】
請求項１に記載のデジタルカメラにおいて、
画像の拡大率は、複数の段階から選択することが可能であり、
前記切替後の画像は、当該切替前の画像と同じ拡大率で表示されることを特徴とするデジタルカメラ。
【請求項４】
請求項１に記載のデジタルカメラにおいて、
前記制御手段は、前記切替指示が与えられたときに、画像内での拡大対象範囲の位置および大きさを切替前後で同一にすることを特徴とするデジタルカメラ。
【請求項５】
請求項１に記載のデジタルカメラにおいて、
前記拡大表示時点において、画像の拡大対象範囲を移動させるスクロール指示を入力する第３の入力手段、
をさらに備え、
前記第３の入力手段は、前記拡大表示時点以外の所定の時点においては、前記表示手段に表示される画像の切替指示を入力することが可能であることを特徴とするデジタルカメラ。
【請求項６】
請求項１に記載のデジタルカメラにおいて、
前記拡大表示時点において、画像の拡大対象範囲を移動させるスクロール指示を入力する第３の入力手段、
をさらに備え、
前記第３の入力手段は、前記拡大表示時点以外の所定の時点においては、画像ごとのプリント設定を変更する入力を行うことが可能であることを特徴とするデジタルカメラ。
【請求項７】
請求項１に記載のデジタルカメラにおいて、
各画像のプリント指定の破棄を指示する保留指示入力、各画像の削除を指示する削除指示入力、および各画像のプリント設定内容の確定を指示するプリント指示入力のうちの少なくとも１つの指示入力は、プリントモードにおいては、前記拡大表示時点と前記拡大表示時点以外の所定の時点とで同一のボタンを操作することによって入力されることを特徴とするデジタルカメラ。
【請求項８】
請求項１に記載のデジタルカメラにおいて、
前記表示手段は、前記拡大表示時点であるか否かに依らず、画像単位のプリント設定内容を表示することを特徴とするデジタルカメラ。
【請求項９】
請求項１に記載のデジタルカメラにおいて、
前記表示手段は、前記拡大表示時点であるか否かに依らず、全画像についてのプリント設定の合計枚数を表示することを特徴とするデジタルカメラ。
【請求項１０】
請求項１に記載のデジタルカメラにおいて、
前記第１の入力手段の操作によって、通常表示、拡大表示、および複数画像の一括表示を順次に切り替えることが可能なデジタルカメラ。
【発明の詳細な説明】
【技術分野】
【０００１】
本発明は、デジタルカメラに関する。
【背景技術】
【０００２】
デジタルカメラにおいて、プリント出力の仕上がりイメージを出力前に把握するための技術が存在する（たとえば、特許文献１参照）。
【０００３】
特許文献１においては、プリンタ付きデジタルカメラのカメラボディの背面に設けられた液晶パネルに、プリント出力の対象画像を表示する技術が記載されている。
【０００４】
【特許文献１】特開２００１−２８７０１号公報
【発明の開示】
【発明が解決しようとする課題】
【０００５】
ところで、デジタルカメラによる撮影では、フィルムコストが発生しないため、フィルムカメラよりも撮影コマ数が多くなる傾向にある。
【０００６】
その一方で、プリント出力する場合にはコストが発生するため、プリント出力対象とする画像は慎重に選びたいという事情がある。たとえば、類似する複数の撮影画像の中から、最も綺麗に撮影された画像をプリント出力対象として選択したい、などの要求が存在する。
【０００７】
このような要求を満たすため、画像を拡大表示して画像の詳細を確認することが行われ得る。また、デジタルカメラによる撮影画像についてのプリント設定（プリント枚数等の設定）を行う作業は、画像を次々に変更しつつ行われ得る。
【０００８】
しかしながら、画像を次々に変更しながらプリント設定を行う場合において、或るコマ（画像）を拡大表示した後に次のコマ（画像）へ移行するときに、その表示倍率を一旦通常倍率（１倍）に戻してしまうものとすると、再び拡大表示させるためにもう一度拡大表示操作を行う必要があることとなり、操作が複雑になってしまうという問題がある。
【０００９】
そこで、この発明の課題は、簡易な操作で、拡大表示を用いて複数の画像の中からプリント対象画像を決定することが可能なデジタルカメラを提供することにある。
【課題を解決するための手段】
【００１０】
上記課題を解決すべく、請求項１に記載の発明は、デジタルカメラであって、画像毎のプリントに関する設定を行うプリント設定画面を表示する表示手段と、前記プリント設定画面の画像を拡大表示すべき旨の拡大指示を入力する第１の入力手段と、画像の拡大表示時点において、前記表示手段に表示される画像の切替指示を入力する第２の入力手段と、画像に対する前記拡大指示が与えられたときには当該画像を拡大して前記表示手段に表示させるとともに、さらに前記拡大表示時点において前記切替指示が与えられたときには切替後の画像をも拡大した状態で前記表示手段に表示させる制御手段と、を備えることを特徴とする。
【００１１】
請求項２に記載の発明は、請求項１の発明に係るデジタルカメラにおいて、前記第２の入力手段は、各画像のプリント設定内容を確定させる指示を入力する機能をも有するプリントボタン、各画像を削除する指示を入力する機能をも有する削除ボタン、および各画像のプリント指定を破棄する指示を入力する機能をも有する保留ボタン、のいずれかとして設けられることを特徴とする。
【００１２】
請求項３に記載の発明は、請求項１の発明に係るデジタルカメラにおいて、画像の拡大率は、複数の段階から選択することが可能であり、前記切替後の画像は、当該切替前の画像と同じ拡大率で表示されることを特徴とする。
【００１３】
請求項４に記載の発明は、請求項１の発明に係るデジタルカメラにおいて、前記制御手段は、前記切替指示が与えられたときに、画像内での拡大対象範囲の位置および大きさを切替前後で同一にすることを特徴とする。
【００１４】
請求項５に記載の発明は、請求項１の発明に係るデジタルカメラにおいて、前記拡大表示時点において、画像の拡大対象範囲を移動させるスクロール指示を入力する第３の入力手段、をさらに備え、前記第３の入力手段は、前記拡大表示時点以外の所定の時点においては、前記表示手段に表示される画像の切替指示を入力することが可能であることを特徴とする。
【００１５】
請求項６に記載の発明は、請求項１の発明に係るデジタルカメラにおいて、前記拡大表示時点において、画像の拡大対象範囲を移動させるスクロール指示を入力する第３の入力手段、をさらに備え、前記第３の入力手段は、前記拡大表示時点以外の所定の時点においては、画像ごとのプリント設定を変更する入力を行うことが可能であることを特徴とする。
【００１６】
請求項７に記載の発明は、請求項１の発明に係るデジタルカメラにおいて、各画像のプリント指定の破棄を指示する保留指示入力、各画像の削除を指示する削除指示入力、および各画像のプリント設定内容の確定を指示するプリント指示入力のうちの少なくとも１つの指示入力は、プリントモードにおいては、前記拡大表示時点と前記拡大表示時点以外の所定の時点とで同一のボタンを操作することによって入力されることを特徴とする。
【００１７】
請求項８に記載の発明は、請求項１の発明に係るデジタルカメラにおいて、前記表示手段は、前記拡大表示時点であるか否かに依らず、画像単位のプリント設定内容を表示することを特徴とする。
【００１８】
請求項９に記載の発明は、請求項１の発明に係るデジタルカメラにおいて、前記表示手段は、前記拡大表示時点であるか否かに依らず、全画像についてのプリント設定の合計枚数を表示することを特徴とする。
【００１９】
請求項１０に記載の発明は、請求項１の発明に係るデジタルカメラにおいて、前記第１の入力手段の操作によって、通常表示、拡大表示、および複数画像の一括表示を順次に切り替えることが可能なデジタルカメラことを特徴とする。
【発明の効果】
【００２０】
請求項１ないし請求項１０に記載の発明によれば、簡易な操作で、拡大表示を用いて複数の画像の中からプリント対象画像を決定することが可能である。
【００２１】
特に、請求項３および請求項４に記載の発明によれば、画像間での比較をさらに容易に行うことができる。
【００２２】
また、請求項５に記載の発明によれば、第３の入力手段を、第２の入力手段とは別個の切替指示を行う切替手段としても用いることができる。
【００２３】
さらに、請求項６に記載の発明によれば、第３の入力手段を用いてプリント設定を変更する入力を行うことができる。
【００２４】
また、請求項７に記載の発明によれば、各拡大表示時点であるか否かに依らず、同一のボタンを操作することによってプリントモードにおける指示入力を与えることができるので操作性が向上する。
【００２５】
さらに、請求項８ないし請求項１０に記載の発明によれば、高い操作性を実現することができる。
【発明を実施するための最良の形態】
【００２６】
以下、本発明の実施形態を図面に基づいて説明する。
【００２７】
＜構成概要＞
図１および図２は、本発明の実施形態に係るデジタルカメラ１の外観構成を示す図である。図１は正面側からみた概略斜視図であり、図２は背面側からみた概略斜視図である。
【００２８】
図１および図２に示すように、デジタルカメラ１は、薄型の略直方体形状を有している。
【００２９】
図１に示すように、デジタルカメラ１は、その正面側に撮影レンズ２と光学ファインダー４とフラッシュ６とを備えており、その上面側に電源ボタン３とシャッタボタン（レリーズボタン）９とマイク１２とを備えている。また、図２に示すように、デジタルカメラ１は、その背面側に液晶表示部（以下、ＬＣＤという。）５とボタン群７，８とクイックレビューボタン（以下、ＱＶボタンとも称する）１１とプリントボタン１３とを備えている。ボタン群７は十字カーソルボタン７ａ〜７ｅ（以下では、７ａを上ボタン、７ｂを下ボタン、７ｃを左ボタン、７ｄを右ボタン、および７ｅを中央(実行)ボタンとも称する）で構成されており、ボタン群８はメニューボタン８ａと液晶モニタボタン８ｂとフラッシュモードボタン８ｃとを有している。さらに、図１および図２に示すように、デジタルカメラ１は、その側方の面に蓋１４とＤＣ入力端子１５とＵＳＢ端子１６とＡＶ出力端子１７とを備えている。
【００３０】
後述するように、デジタルカメラ１は、撮影レンズ２からの被写体像をＣＣＤ（撮像素子）２０（図３）によって光電変換することなどによって、被写体に関する画像データを取得する。
【００３１】
また、電源ボタン３は、電源のオン操作およびオフ操作を受け付けるために用いられる。具体的には、電源ボタン３を押下するごとにオン状態への移行とオフ状態への移行とが交互に繰り返される。
【００３２】
シャッタボタン９はユーザ（操作者）による半押し状態（以下、Ｓ１状態とも称する）と全押し状態（以下、Ｓ２状態とも称する）とを区別して検出可能な２段階押し込みスイッチとなっており、半押し(Ｓ１)状態のときに自動合焦制御を開始し、全押し(Ｓ２)状態のときに記録用画像を撮影するための本撮影動作を開始する。
【００３３】
ＬＣＤ５は、本撮影動作前のプレビュー表示（ライブビュー表示とも称する）及び記録画像の再生表示等を行う。このＬＣＤ５は、所定数（ここでは３２０×２４０）の表示画素を有しており、カラー画像を表示することができる。
【００３４】
ライブビュー表示では、デジタルカメラ１の電源オン後や本撮影が完了すると、１／３０秒ごとに低解像度で被写体の撮像を繰り返し、撮像画像をＬＣＤ５に動画的態様で表示する。これにより、操作者は、ＬＣＤ５におけるライブビュー表示によって撮影画像における被写体の位置および大きさ等を知覚し、フレーミング動作を行うことができる。なお、ＬＣＤ５を用いることなく光学ファインダー４のみを用いてフレーミング動作を行うことも可能である。
【００３５】
また、ＱＶボタン１１は、これを押下することにより、撮影モードと再生モードとが切り替えられる。この撮影モードとは、写真撮影を行うモードであり、再生モードとは、メモリカードに記録された撮影画像をＬＣＤ５に再生表示するモードである。本実施形態のデジタルカメラ１では、電源ボタン３の押下による電源オン時には撮影モードに設定されているが、ＱＶボタン１１を押下することよって再生モードに切替わり、さらにＱＶボタン１１を押下することにより撮影モードに移行する。このようにＱＶボタン１１が押下される度に、撮影・再生モードがサイクリックに切替わることとなる。
【００３６】
メニューボタン８ａは、ＬＣＤ５へのメニューの表示および非表示を切り替える機能を有している。たとえば、各動作モードの初期画面においてメニューボタン８ａが押下されるごとに、メニュー画面と非メニュー画面（ライブビューあるいは再生画像等の表示画面）とが交互にＬＣＤ５に表示される。また、ＬＣＤ５に表示されたメニュー画面における表示カーソルは、十字カーソルボタン７ａ〜７ｄを用いて４方向に移動させることができる。さらに、所望の選択肢が選択された状態で実行(中央)ボタン７ｅを押下することによって、その選択肢に対応する設定動作等が実行される。このような操作によって、各種撮影パラメータの設定等を行うことが可能である。
【００３７】
液晶モニタボタン８ｂは、液晶モニタであるＬＣＤ５の表示・非表示を切り替えるためのボタンである。液晶モニタボタン８ｂが押下されるごとに、ＬＣＤ５に画像等が表示された状態（表示状態）と表示されない状態（非表示状態）とが交互に切り替わる。非表示状態にしておけば消費電力を低減できる。
【００３８】
フラッシュモードボタン８ｃは、フラッシュ６のモードを決定するためのボタンである。フラッシュモードボタン８ｃが押下されるごとに、自動発光、強制発光、発光禁止の順序でフラッシュモードが切り替わる。
【００３９】
また、マイク１２は、動画撮影、ボイスメモ、ボイスレコーディング、アフターレコーディング（アフレコ）時において、音声データを取得する（録音する）ために用いられる。
【００４０】
プリントボタン１３は、プリントモード（後述）に移行させるためのボタンである。
【００４１】
蓋１４は、電池室およびメモリカード装着部を覆う部分に設けられている。言い換えれば、蓋１４の内部側には、電源電池ＢＴを収容する電池室と着脱自在な記録媒体（可搬性記録媒体）であるメモリカード９０を装着するメモリカード装着部とが設けられている。電源電池ＢＴおよびメモリカード９０は、それぞれ、電池室およびメモリカード装着部に対して着脱自在に装着される。本撮影によって得られる画像データ等は、この挿入装着部にセットされるメモリカード９０に記録される。また、デジタルカメラ１は、電源電池ＢＴからの電力供給を受けることもできるし、ＤＣ入力端子１５を用いてＡＣアダプタ（不図示）等からの電力供給を受けることもできる。
【００４２】
ＵＳＢ端子１６は、パーソナルコンピュータ（パソコンとも略称する）等とのデータ通信を行うための端子である。ＵＳＢ端子１６にＵＳＢ規格のケーブル等を接続することによって外部機器（パソコン等）とのデータ通信を行うことができる。
【００４３】
ＡＶ出力端子１７は、テレビなどの外部映像音響機器（ＡＶ機器）に接続するための端子である。所定のＡＶコードを用いてこのＡＶ出力端子１７と外部映像音響機器側の入力端子とを接続することによって、その外部映像音響機器に画像および／または音声を出力することができる。
【００４４】
次に、図３を参照しつつ、デジタルカメラ１の内部構成について説明する。図３は、デジタルカメラ１の内部機能を示すブロック図である。
【００４５】
ＣＣＤ（撮像素子）２０は、被写体像を撮影して電子的な画像信号を生成する撮像手段として機能するものであり、例えば１６００×１２００個の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。
【００４６】
ＣＣＤ２０から得られる画像信号はアナログ信号処理回路２１に与えられ、アナログ信号処理回路２１において画像信号（アナログ信号）に対して所定のアナログ信号処理が施される。アナログ信号処理回路２１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００４７】
Ａ／Ｄ変換器２２は、画像信号の各画素信号を１２ビットのデジタル信号に変換するものである。変換後のデジタル信号は、画像データとして一時的にＲＡＭ５０ａ内のバッファメモリ５４に格納される。そして、バッファメモリ５４に保存された画像データに対して、次述する画像処理部５１による、ＷＢ（ホワイトバランス）処理、γ補正処理、および色補正処理等が施された後、圧縮／伸張部５２による圧縮処理等が施される。
【００４８】
また、マイク１２から得られる音声信号は、音声処理部５３に入力される。音声処理部５３に入力された音声信号は音声処理部５３内に設けられたＡ／Ｄ変換器（不図示）によりデジタル信号に変換され、一時的にバッファメモリ５４に格納される。
【００４９】
操作部３０は、上述した電源ボタン３、ボタン群７，８、シャッタボタン９、ＱＶボタン１１等を含む操作部であり、ユーザがデジタルカメラ１の設定状態を変更操作する際や撮影操作を行う際等に用いられる。
【００５０】
電源４０は、デジタルカメラ１に対する電力供給源である。デジタルカメラ１は、リチウムイオン電池などの二次電池を電源電池ＢＴとして用いて駆動される。
【００５１】
全体制御部５０は、内部にＲＡＭ５０ａ及びＲＯＭ５０ｂを備えたマイクロコンピュータによって構成され、マイクロコンピュータが所定のプログラムを実行することにより、上記各部を統括的に制御する。なお、ＲＡＭ５０ａは、高速アクセス可能な半導体メモリ（たとえばＤＲＡＭ）であり、ＲＯＭ５０ｂは電気的にデータの書き換えが可能な不揮発性の半導体メモリ（たとえばフラッシュＲＯＭ）として構成される。また、ＲＡＭ５０ａ内における一部の領域は、一時記憶用のバッファエリアとして機能する。ここでは、このバッファエリアをバッファメモリ５４と称するものとする。バッファメモリ５４は、画像データおよび音声データを一時的に記憶する。
【００５２】
全体制御部５０は、画像処理部５１、圧縮／伸張部５２および音声処理部５３を有している。これらの各処理部５１，５２，５３は、マイクロコンピュータが所定のプログラムを実行することにより実現される機能部である。
【００５３】
画像処理部５１は、ＷＢ処理、γ補正処理等の各種のデジタル画像処理を施す処理部である。ＷＢ処理は、Ｒ，Ｇ，Ｂの各色成分のレベル変換を行い、カラーバランスを調整する処理であり、γ補正処理は、画素データの階調を補正する処理である。圧縮／伸張部５２は、画像データの圧縮処理および伸張処理を行う処理部である。圧縮方式としては、例えばＪＰＥＧ方式などが採用される。音声処理部５３は、音声データに対する各種のデジタル処理を施す処理部である。
【００５４】
このような構成を有する全体制御部５０によって、撮影モード、再生モードおよびプリントモードでの処理が行われる。例えば、撮影モードにおいてシャッタボタン９が操作者によって半押し（Ｓ１状態）されると、ＣＣＤ２０から出力される画像データに基づきＡＦ評価値を求め、周知の山登り方式によって合焦位置に撮影レンズを移動させる。また、ＣＣＤ２０で読みとった被写体の輝度情報に基づいて、本撮影時のシャッタスピードと絞りの値とオートホワイトバランスのゲイン設定値とを決定する。
【００５５】
一方、全体制御部５０は、撮影モードにおいてシャッタボタンが全押し（Ｓ２状態）されると、ＣＣＤ２０の解像度を高解像度に設定した後に被写体を撮像し、ＣＣＤ２０で取得された撮影画像データに基づき圧縮／伸張部５２で圧縮画像を生成する。そして、圧縮された高解像度の画像データは、記録媒体として機能するメモリカード９０に記録されることとなるが、このメモリカード９０におけるデータ構造を以下で説明する。
【００５６】
図４は、メモリカード９０のデータ配列を示す図である。メモリカード９０には、デジタルカメラ１によって記録された静止画像および動画像の各コマが順に配列して記憶される。各コマは、ファイル属性ＡＴとタグ情報ＴＧとＪＰＥＧ形式で圧縮された高解像度画像データＨＤ(１６００×１２００画素)とサムネイル表示用のサムネイル画像データＳＤ（３２０×２４０画素)とが記録されている。このファイル属性ＡＴでは、読み取り専用属性(Ｒ)、アーカイブ属性(Ａ)、システムファイル属性(Ｓ)および隠しファイル属性(Ｈ)が設定可能となっている。ユーザによってファイルのプロテクトが設定される場合には、読み取り専用属性が設定されることとなる。また、タグ情報ＴＧでは、ファイル名、撮影日時、撮影に使用したデジタルカメラのシリアルナンバーおよび画像データに関連付けされた音声ファイルの情報が記録されている。
【００５７】
また、メモリカード９０には、暗号化されているプリント単価情報が、枚数と単価との関係を記述したテーブルＴＢとして記憶されている。このプリント単価テーブルＴＢを参照すると、例えばプリントサイズがＬ版で９枚以下の場合には、プリント単価が￥４０に設定され、例えばプリントサイズが２Ｌ版で５０枚以上の場合にはプリント単価が￥５０に設定されることとなる。これにより、後述のプリント料金がＬＣＤ５に表示される。
【００５８】
また、ＱＶボタン１１の押下によって撮影モードから再生モードに移行すると、メモリカード９０内で最も大きなコマ番号の画像つまり直近に撮影された画像のデータが読み出された後、圧縮／伸張部５２でデータ伸張され、ＬＣＤ５に画像表示される。この再生モードでは、左ボタン７ｃ・右ボタン７ｄの押下によりコマの送り・戻しが可能である。
【００５９】
カードインタフェース（カードＩ／Ｆ）６０は、デジタルカメラ１側面の挿入装着部に対して装着されるメモリカード９０への画像データの書込み及び読出しを行うためのインタフェースである。
【００６０】
メモリカード９０に対する画像データの読み書き時には、圧縮／伸張部５２において例えばＪＰＥＧ方式で画像データの圧縮処理又は伸張処理が行われ、カードインタフェース６０を介して画像データがバッファメモリ５４とメモリカード９０との間で送受信される。また、音声データの読み書き時においてもカードインタフェース６０を介して音声データがバッファメモリ５４とメモリカード９０との間で送受信される。
【００６１】
さらに、デジタルカメラ１は、このカードインタフェース６０を用いて、画像および音声等のデータを送受信するだけでなく、デジタルカメラ１で動作するプログラムを取り込むことも可能である。たとえば、メモリカード９０に記録される制御プログラムを、全体制御部５０のＲＡＭ５０ａ又はＲＯＭ５０ｂ内に取り込むことができる。これにより、制御プログラムを更新することなどが可能である。
【００６２】
また、ＵＳＢ端子１６などを介した外部機器（外部コンピュータなど）との通信によっても、画像あるいは音声などの各種のデータ、および制御プログラムなどを送受信することが可能である。たとえば、外部コンピュータの読取装置（光学ドライブ装置等）にセットされた記録媒体（ＣＤ−Ｒ／ＲＷ、ＣＤ−ＲＯＭなど）に記録された各種のデータおよびプログラム等を、ＵＳＢ端子１６を介して取得することが可能である。
【００６３】
＜プリントモードについて＞
プリントボタン１３がユーザによって押下されると、プリント設定を行うためのプリントモードに移行し、プリント設定画面が表示される。このプリントモードでは、プリント設定に関するプリント注文ファイルが作成されるが、このプリント注文ファイルについて、まず説明する。
【００６４】
図５は、プリント注文ファイルＰｆを説明するための図である。
【００６５】
メモリカード９０には、撮影画像フォルダＦａ内に複数の画像ファイルＧｆが格納されるとともに、撮影画像フォルダＦａと異なるフォルダＦｂにプリント注文ファイルＰｆが格納されている。
【００６６】
このプリント注文ファイルＰｆは、図６に示すように、一般情報Ｄｆ１、ユーザー情報Ｄｆ２、プリントジョブ情報Ｄｆ３、画像ソース情報Ｄｆ４、各種設定情報Ｄｆ５およびベンダー情報Ｄｆ６で構成されている。ここで、ベンダー情報Ｄｆ６とは、デジタルカメラを製造するメーカー各社で独自に定義される情報である。
【００６７】
以上のプリント注文ファイルＰｆを作成することにより、プリント注文時のユーザーの労力を削減できるが、このプリント注文ファイルＰｆにおける各種の情報Ｄｆ１〜Ｄｆ６を設定するためのプリント設定画面を、次で説明する。
【００６８】
図７は、プリント設定画面を説明するための図である。
【００６９】
ＬＣＤ５に表示されるプリント設定画面Ｇｐでは、プリント対象の画像Ｇｑに重畳して、プリント注文する画像の合計枚数を表示する合計枚数表示Ｇｐ１と、現在ＬＣＤ５に表示されている画像に対するプリント注文枚数を表示する注文枚数表示Ｇｐ２とが表示される。
【００７０】
一方、プリントボタン１３の押下によってプリントモードに移行すると、フラッシュモードボタン８ｃが保留ボタンとしての機能を発揮し、且つ、液晶モニタボタン８ｂが削除ボタンとしての機能を発揮することとなるが、プリント設定画面Ｇｐにおいては、これらの機能が割付けられたことを明示する「保留」表示Ｇｐ３および「削除」表示Ｇｐ４が行われる。
【００７１】
デジタルカメラ１においては、プリントイメージを優先するためにプリントサイズの縦横比に則して画像Ｇｑを表示するが、ＬＣＤ５の画面サイズおよびプリントサイズの縦横比が相違する場合には、例えばＬＣＤ５の画面の両端に余白部分Ｇｐｅ(平行斜線部)を表示して調整される。また、画像Ｇｑに対して撮影した日付の写し込みを行う場合には、写し込まれる画像の部位に例えば「'03／5／7」のような日付表示Ｇｐ５が行われる。
【００７２】
そして、図７に示すプリント設定画面Ｇｐにおいて、右ボタン７ｄまたはプリントボタン１３が押下されることによって、図８に示すように次の画像(コマ)Ｇｒが表示されることとなる(後で詳述)。
【００７３】
次に、プリントモードにおける動作を以下で説明する。
【００７４】
図９〜図１１は、プリント設定画面Ｇｐ(図７)をＬＣＤ５に表示するプリントモードの動作を説明するための図である。ここで、図９はユーザの操作に対する画面遷移の関係を示しており、図１０および図１１は、コマ番号(ｎ)の画像を表示するプリント設定画面ＧＮ１１を中心として他の画面に遷移する様子を示している。以下の説明では、コマ番号(ｎ)の画像を、プリントモードに移行した直後に最後(最大)のコマ番号を有する画像と考えることとする。なお、図１１において、参照符号がＧＮで始まるブロックは表示画面に関する状態を示しており、参照符号がＳＴで始まるブロックは、デジタルカメラ１の動作を示している。これらの図９〜図１１を参照しつつ、プリントモードの動作を以下で列挙して説明する。
【００７５】
(１)左ボタン７ｃが押下されると、プリント設定画面で設定されている設定内容を確定させて、前のコマを表示するプリント設定画面に移行する。この場合には、左ボタン７ｃを押下する前の画像で選択されていたプリント注文枚数が、プリント合計枚数に加算され、合計枚数が更新される。
【００７６】
すなわち、図１１に示すコマ番号(ｎ)の画像を表示するプリント設定画面ＧＮ１１において、左ボタン７ｃが押下された場合には、コマ番号(ｎ)の画像に対するプリント注文の記録処理ＳＴ１２(後で詳述)を行い、コマ番号(ｎ−１)の画像のプリント設定画面ＧＮ１２に移行する。
【００７７】
具体的には、例えば、図８に示すようにプリント設定画面Ｇｐが表示される際に、左ボタン７ｃが押下された場合には、図１２に示すように、前のコマに該当する画像ＧｑがＬＣＤ５に表示されるとともに、合計枚数表示Ｇｐ１では、図８の合計枚数表示Ｇｐ１に示す「２１枚」よりも１枚増加した合計枚数「２２枚」が表示される。
【００７８】
(２)右ボタン７ｄが押下されると、プリント設定画面で設定されている設定内容を確定させて、次のコマを表示するプリント設定画面に移行する。この場合には、右ボタン７ｄを押下する前の画像で選択されていたプリント注文枚数が、プリント合計枚数に加算され、合計枚数が更新されることとなる。
【００７９】
すなわち、図１１に示すコマ番号(ｎ−１)の画像を表示するプリント設定画面ＧＮ１２において、右ボタン７ｄが押下された場合には、コマ番号(ｎ−１)の画像に対するプリント注文の記録処理Ｔ１３(後で詳述)を行い、コマ番号(ｎ)の画像のプリント設定画面ＧＮ１１に移行する。
【００８０】
具体的には、例えば、図７に示すようにプリント設定画面Ｇｐが表示される際に、右ボタン７ｄが押下された場合には、図８に示すように、次のコマに該当する画像ＧｒがＬＣＤ５に表示されるとともに、合計枚数表示Ｇｐ１において、図７の合計枚数表示Ｇｐ１に示す「２０枚」よりも１枚増加した合計枚数「２１枚」が表示される。
【００８１】
(３)上ボタン７ａが押下されると、現在ＬＣＤ５に表示されているコマ(画像)のプリント枚数を増加させる。これにより、プリント枚数表示Ｇｐ２で示される枚数が増加することとなる。
【００８２】
(４)下ボタン７ｂが押下されると、現在ＬＣＤ５に表示されているコマ(画像)のプリント枚数を減少させる。これにより、プリント枚数表示Ｇｐ２で示される枚数が減少することとなる。なお、プリント枚数のデフォルト値は１枚に設定されており、プリント枚数の下限値は０枚である。
【００８３】
(５)メニューボタン８ａが押下されると、プリントメニュー画面(後述)をＬＣＤ５に表示する。
【００８４】
(６)削除ボタン８ｂが押下されると、現在ＬＣＤ５に表示されているコマ(画像)を削除して、次のコマを表示するプリント設定画面に移行する。この削除ボタン８ｂは、撮影された画像データを削除するファンクションキーとして機能する。ただし、削除ボタン８ｂが押下されても、プロテクトがかけられた、具体的には図４に示すファイル属性で読み取り専用属性に設定された画像の削除は行えないものとする。
【００８５】
例えば、図１１に示すコマ番号(ｎ−１)の画像を表示するプリント設定画面ＧＮ１２において、削除ボタン８ｂが押下された場合には、コマ番号(ｎ−１)の画像に対する削除処理ＳＴ１４を行い、コマ番号(ｎ)の画像を表示するプリント設定画面ＧＮ１１に移行する。
【００８６】
なお、図１１に示す最大のコマ番号(ｎ)の画像を表示するプリント設定画面ＧＮ１１において削除ボタン８ｂが押下された場合には、コマ番号(ｎ)の画像に対する削除処理ＳＴ１１を行った後、その削除処理後の最大コマ番号(ｎ−１)の画像を表示するプリント設定画面ＧＮ１２に移行する。
【００８７】
(７)保留ボタン８ｃが押下されると、現在ＬＣＤ５に表示されているコマ(画像)のプリント枚数を０枚にして、次のコマを表示するプリント設定画面に移行する。
【００８８】
すなわち、図１１に示すコマ番号(ｎ−１)の画像を表示するプリント設定画面ＧＮ１１において、保留ボタン８ｃが押下された場合には、コマ番号(ｎ−１)の画像に関するプリント注文内容をチェックし、プリントの注文枚数が１枚以上であるときには、コマ番号(ｎ−１)の画像に関する注文内容を削除、つまりプリント枚数を０枚に設定する処理ＳＴ１７を行う。そして、コマ番号(ｎ)の画像を表示するプリント設定画面ＧＮ１２に移行する。
【００８９】
なお、図１１に示すコマ番号(ｎ)の画像を表示するプリント設定画面ＧＮ１１において、保留ボタン８ｃが押下された場合には、コマ番号(ｎ)の画像に関するプリント注文ファイルの注文内容をチェックし、プリントの注文枚数が１枚以上であるときには、コマ番号(ｎ)の画像に関する注文内容を削除、つまりプリント枚数を０枚に設定する処理ＳＴ１６を行う。ここでは、コマ番号(ｎ)が最大で次のコマが存在しないため、コマ番号(ｎ)の画像を表示するプリント設定画面ＧＮ１１に復帰する。
【００９０】
(８)プリントボタン１３が押下されると、プリント設定画面で設定されている設定内容を確定させて、次のコマを表示するプリント設定画面に移行する。
【００９１】
すなわち、図１１に示すコマ番号(ｎ−１)の画像を表示するプリント設定画面ＧＮ１２において、プリントボタン１３が押下された場合には、コマ番号(ｎ−１)の画像に対する注文処理ＳＴ１３(後で詳述)を行い、コマ番号(ｎ)の画像を表示するプリント設定画面ＧＮ１１に移行する。
【００９２】
具体的には、例えば、図７に示すようにプリント設定画面Ｇｐが表示される際に、プリントボタン１３が押下される場合には、図８に示すように、次のコマに該当する画像ＧｒがＬＣＤ５に表示されるとともに、合計枚数表示Ｇｐ１において、図７の合計枚数表示Ｇｐ１に示す「２０枚」よりも１枚増加した合計枚数「２１枚」が表示される。
【００９３】
なお、図１１に示すコマ番号(ｎ)の画像を表示するプリント設定画面ＧＮ１１において、プリントボタン１３が押下された場合には、コマ番号(ｎ)の画像に対する注文処理ＳＴ１５(後で詳述)を行う。この場合には、コマ番号(ｎ)が最大で次のコマが存在しないため、コマ番号(ｎ)の画像を表示するプリント設定画面ＧＮ１１に復帰する。
【００９４】
(９)中央(実行)ボタン７ｅが押下されると、図１３に示すような拡大プリントプレビュー画面Ｇｐｗに移行する。拡大プリントプレビュー画面Ｇｐｗでは、表示倍率が１倍の画像Ｇｑが表示されるプリント設定画面Ｇｐ(図７参照)に対して、表示倍率が例えば２倍の画像Ｇｑｗが表示される一方、合計枚数表示Ｇｐ１や注文枚数表示Ｇｐ２などのプリント設定情報の表示はそのまま拡大されずに表示される。この拡大プリントプレビュー画面Ｇｐｗをユーザーが視認することによって、画像の詳細な確認が行える。
【００９５】
(１０)ＱＶボタン１１が押下されると、プリント設定画面から抜けて、例えばＲＡＭ５０ａに記憶されている遷移元モードの情報に基づき、プリント設定画面に移行する前の画面(例えば撮影モードのメニュー画面など)に遷移する。
【００９６】
(１１)シャッタボタン９が押下されると、撮影モードに移行してライブビュー表示が行われる。
【００９７】
以下では、図１１のステップＳＴ１２、ＳＴ１３およびＳＴ１５に関する注文記録動作を説明する。
【００９８】
図１４は、コマ番号(ｎ)の画像に対するプリント注文記録の動作を示すフローチャートである。
【００９９】
まず、プリントボタン１３などが押下されると、メモリカード９０内にプリント注文ファイルが存在するかを判定する(ステップＳＰ１)。ここで、プリント注文ファイルが存在する場合には、ステップＳＰ２に進み、存在しない場合にはステップＳＰ４に進む。
【０１００】
ステップＳＰ２では、注文内容が変更されたかを判定する。例えば上ボタン７ａまたは下ボタン７ｂが押下されることにより、プリント枚数が増加または減少したかを判断する。ここで、注文内容が変更された場合には、ステップＳＰ３に進み、変更されていない場合には、本フローチャートを抜けてプリント注文記録の処理を終了する。
【０１０１】
ステップＳＰ３では、プリント注文対象であるコマ番号(ｎ)の画像の注文内容を、変更された内容によってプリント注文ファイルを更新する。
【０１０２】
ステップＳＰ４では、プリント注文ファイルを新規に作成する。これにより、プリントボタン１３が押下されてプリントモードに移行した場合には、確実にメモリカード９０内にプリント注文ファイルが生成されることとなる。
【０１０３】
ステップＳＰ５では、プリント注文対象であるコマ番号(ｎ)の画像の注文内容をプリント注文ファイルに記録する。
【０１０４】
ステップＳＰ６では、プリント合計枚数を更新する。これにより、プリント設定画面における合計枚数表示Ｇｐ１の表示が変更される。
【０１０５】
以上のデジタルカメラ１では、プリント設定画面において保留ボタン８ｃまたは削除ボタン８ｂが押下されない限り、プリント合計枚数が増え続けるが、プリント排除が明確な画像のみプリント注文を除外できるため、注文漏れを防止できユーザーの利便性が向上することとなる。
【０１０６】
次に、プリント設定画面においてメニューボタン８ａが押下されると、図１５に示すプリントメニュー画面Ｇｐｍに遷移するが、このプリントメニュー画面Ｇｐｍについて説明する。
【０１０７】
図１６は、プリントメニュー画面Ｇｐｍに表示される各項目を説明するための図である。この図１６を参照しつつ、プリント設定画面の機能を列挙して説明する。
【０１０８】
(１)プリント初期設定が指定されると、プリント指定に関して「枚数」または「プリントサイズ」が選択できる。
【０１０９】
(２)日付写し込み位置が指定されると、日付表示Ｇｐ５(図７)に対応するプリント画像への日付写し込み位置に関して、画像(画面)の「左下」、画像の「右下」、または日付写し込みを禁止する「なし」を選択できる。
【０１１０】
(３)日付写し込み形式が指定されると、「'03/5/7」、「2003/5/7」または「H15.5.7」を選択できる。ただし、日付写し込み位置が「なし」に設定されている場合には、日付写し込み形式の指定を行えない。
【０１１１】
(４)プリント合計枚数が指定されると、「料金を表示」、「枚数を表示」、「サイズ毎の枚数と合計枚数とを表示」または「表示しない」を選択できる。ここで、「料金を表示」が設定されると、図１７(ａ)に示すようにＬＣＤ５に料金の表示Ｇｐ１１が行われ、「枚数を表示」が設定されると、図１７(ｂ)に示すようにＬＣＤ５に合計枚数のみの表示Ｇｐ１２が行われる。また、「サイズ毎の枚数と合計枚数とを表示」が設定されると、図１７(ｃ)に示すようにＬＣＤ５に合計枚数とＬサイズおよび２Ｌサイズそれぞれの枚数の表示Ｇｐ１３が行われ、「表示しない」が設定されると、図１７(ｄ)に示すようにＬＣＤ５に合計枚数の表示を行わない。なお、料金を表示する場合には、メモリカード９０に記憶された情報に基づき料金が算出されることとなる。
【０１１２】
(５)インデックスプリントが指定されると、インデックスプリントを「する」または「しない」を選択できる。
【０１１３】
(６)プリント設定のオールリセットが指定されると、「実行する」または「中止」が選択できる。ここで、「実行」が選択された場合には、全てのプリント枚数の設定がデフォルトの１枚に戻ることとなる。
【０１１４】
(７)削除画像の復活が指定されると、「実行する」または「中止」が選択できる。ここで、「実行」が選択された場合でも、復活できる画像は直前に削除した画像のみである。
【０１１５】
以上説明したように、図１６に示す各項目ごとに設定を行えるが、この具体例としてプリント初期設定およびプリント合計枚数の設定動作を次で説明する。
【０１１６】
図１８は、プリント初期設定の動作を説明するための図である。本図において、参照符号がＧＮで始まるブロックは表示画面に関する状態を示しており、参照符号がＳＴで始まるブロックは、デジタルカメラ１の処理を示している。
【０１１７】
プリント設定画面が表示される状態ＧＮ１５においてメニューボタン８ａが押下されるとプリントメニュー画面Ｇｐｍが表示される状態ＧＮ１６に移行するが、この状態ＧＮ１６で「プリント初期設定」を選択して実行(中央)ボタン７ｅを押下すると、プリント初期設定を行う画面を表示する状態ＧＮ１７に遷移する。
【０１１８】
この表示状態ＧＮ１７では、プリント枚数の初期設定およびプリントサイズの初期設定が行える。例えば、プリント枚数が２枚に設定されると、最初に画像が表示されるプリント設定画面においては、注文枚数表示Ｇｐ２が「２枚」と表示されることとなる。これにより、初期設定が容易に行えるため、ユーザの利便性が向上する。
【０１１９】
表示状態ＧＮ１７では、上・下ボタン７ａ、７ｂの押下によってプリント枚数の変更が可能であり、左・右ボタン７ｃ、７ｄの押下によってプリントサイズの変更が可能となっている。
【０１２０】
また、表示状態ＧＮ１７において、実行(中央)ボタン７ｅまたはプリントボタン１３が押下されると、初期設定が反映されたプリント設定画面を表示する状態ＧＮ１５に遷移する。一方、保留ボタン８ｃが押下されると、初期設定が反映されないプリント設定画面を表示する状態ＧＮ１５に遷移する。
【０１２１】
図１９および図２０は、プリント合計枚数表示設定の動作を説明するための図である。これらの図において、参照符号がＧＮで始まるブロックは表示画面に関する状態を示しており、参照符号がＳＴで始まるブロックは、デジタルカメラ１の処理を示している。
【０１２２】
プリントメニュー画面Ｇｐｍ(図１５)が表示される状態ＧＮ２０においてメニューボタン８ａが押下された場合には、プリントメニュー画面Ｇｐｍに移行する直前のプリント設定画面（図１７(ａ)〜(ｄ)に示す４種類の画面）のそれぞれに対応するメニュー表示状態ＧＮ２１〜２４に遷移する。このメニュー表示状態ＧＮ２１〜２４では、プリント合計枚数の設定を変更できるようになっており、この設定変更は左・右ボタン７ｃ、７ｄを押下することによって行える。
【０１２３】
金額表示が設定が選択される状態ＧＮ２１において、実行(中央)ボタン７ｅが押下されると、単価設定について「メモリカードから読み取り」を選択する画面を表示する状態ＧＮ２５に遷移する。ここで、実行(中央)ボタン７ｅを押下すると、メモリカード９０の登録情報、つまり図４に示すプリント単価テーブルＴＢを読み取る処理ＳＴ２１を行って、メモリカード９０に登録情報が存在するかを判定する処理ＳＴ２２を行う。この処理ＳＴ２２において、登録情報が存在する場合には、この情報に基づき料金設定内容が表示される状態ＧＮ２７に遷移し、実行(中央)ボタン７ｅの押下で表示内容の更新処理ＳＴ２３が行われる。一方、処理ＳＴ２２において登録情報が存在しない場合には、「メモリカードに料金情報がありません」という警告表示が行われる状態ＧＮ２８に移行する。この状態ＧＮ２８で実行(中央)ボタン７ｅが押下されると状態ＧＮ２６に遷移することとなる。
【０１２４】
一方、状態ＧＮ２５において下ボタン７ｂを押下すると、単価設定について「手動設定」を選択する画面を表示する状態ＧＮ２６に遷移する。ここでは、左・右ボタン７ｃ、７ｄを操作することで金額を増減できるようになっており、上ボタン７ａが押下されると状態ＧＮ２５に移行する。
【０１２５】
＜デジタルカメラ１全般の動作について＞
以上ではプリントモードに関する動作を説明したが、このプリントモードと他のモード（撮影モードや再生モード）との関係などデジタルカメラ１全般の動作について、以下で説明する。
【０１２６】
図２１は、デジタルカメラ１の基本的な動作を示す状態遷移図である。
【０１２７】
まず、デジタルカメラ１の電源がオフの状態から電源ボタン３が押下されるとＲＯＭ５０ｂに記憶されている起動時のモードを判別する状態ＳＴ３１に遷移する。なお、デジタルカメラ１の出荷時は撮影モードに設定されている。
【０１２８】
そして、状態ＳＴ３１で判別されたモードが設定される状態ＳＴ３２に移行する。ここで、デジタルカメラ１のモードとしては、上述したプリントモード、撮影モード（１コマ撮影モード、動画モード、連写モード）および再生モードがあるが、ＱＶボタン１１やプリントボタン１３の押下によって、これら５種類のモードの切替えを行える。この状態ＳＴ３２においてメニューボタン８ａが押下された場合には、各モードに応じた各種メニューの設定が行える画面をＬＣＤ５に表示する状態ＳＴ３３に移行する。
【０１２９】
一方、状態ＳＴ３２において、電源ボタン３が押下されると、現在設定されているモードをＲＯＭ５０ｂに記憶する状態ＳＴ３４を経由して、デジタルカメラ１の電源がオフされる。
【０１３０】
次に、上述した５種類のモードのうちプリントモードと他の４種類のモードとの関係を、状態遷移を表す図２２を参照して説明する。
【０１３１】
１コマ撮影モード、連写モード、動画モードおよび再生モードの各設定状態ＳＴ４１〜４４においては、ＱＶボタン１１の押下によってサイクリックにモード切替が行えるようになっている。なお、動画モードの設定状態ＳＴ４３から再生モードの設定状態ＳＴ４４に移行する際には、コマ番号の最も大きな撮影画像がＬＣＤ５に表示される。
【０１３２】
１コマ撮影モード、連写モードおよび動画モードの設定状態ＳＴ４１〜４３において、プリントボタン１３が押下されると、後で詳述するエラーチェックＳＴ４５を経て、プリントモードの設定状態ＳＴ４６に遷移する。ここで、状態ＳＴ４６に遷移した直後には、コマ番号の最も大きな撮影画像がＬＣＤ５に表示される。
【０１３３】
また、再生モードの設定状態ＳＴ４４において、プリントボタン１３が押下されると、プリントモードの設定状態ＳＴ４６に遷移する。ここで、状態ＳＴ４６に遷移した直後には、状態ＳＴ４４でＬＣＤ５に表示されていた再生画像と同一の画像が表示される。この状態ＳＴ４４において、シャッタボタン９が押下されると、１コマ撮影モードの設定状態ＳＴ４１に移行する。
【０１３４】
プリントモードが設定される状態ＳＴ４６において、プリントボタン１３が押下されても、上述したようにプリント注文内容が更新される処理等が行われるが、プリントモードの設定は維持されることとなる。また、状態ＳＴ４６において、シャッタボタン９が押下される場合には、１コマ撮影モードの設定状態ＳＴ４１に移行する。
【０１３５】
図２３は、上記の状態ＳＴ４５に対応するエラーチェックの動作を示すフローチャートである。
【０１３６】
まず、メモリカード９０に撮影画像が保存されているか否かを判定する（ステップＳＴ５１）。ここで、撮影画像が保存されている場合には、ステップＳＴ５２に進み、保存されていない場合には、ステップＳＴ５３に進む。
【０１３７】
ステップＳＴ５２では、コマ番号の最も大きな撮影画像を指定して画像ファイル（データ）を読み出す。そして、読出しが完了すると、プリントモードの設定状態ＳＴ４６（図２２）に遷移する。なお、ステップＳＴ５２でプリントボタン１３が押下されても、プリントボタン１３を無視してファイル読み出しを続ける。
【０１３８】
ステップＳＴ５３では、エラーチェックＳＴ４５に移行する前の遷移元のモード（１コマ撮影モード、連写モードまたは動画モード）を記憶する。
【０１３９】
ステップＳＴ５４では、「メモリカードに画像がありません」という警告表示をＬＣＤ５で行う。そして、２秒の経過、実行(中央)ボタン７ｅ、プリントボタン１３またはＱＶボタン１１の押下に応答してステップＳＴ５３で記憶した遷移元のモードに復帰する。
【０１４０】
以上のエラーチェックの動作により、メモリカード９０内に撮影画像がない場合にプリントモードに移行するのを防止できる。
【０１４１】
＜プリント設定画面における画像拡大表示＞
次に、再びプリントモードにおける動作について説明する。以下では、プリント設定画面Ｇｐ（図７等参照）における画像の拡大表示等について詳細に説明する。
【０１４２】
図２４および図２５は、拡大表示における状態遷移を示す図である。この実施形態においては、上記の実行ボタン７ｅの押下操作に応じて、画像１枚ごとの通常表示（基準の大きさでの表示）、画像１枚ごとの拡大表示（画像の部分拡大表示）、および複数画像の一括表示の３種類の表示態様が順次に切り替わる。ここでは、拡大表示における表示倍率（拡大倍率）を複数の段階（詳細には、通常表示の２倍および４倍の２段階）で切り替えることが可能である。
【０１４３】
図２４の状態ＳＴ６１においては、画像を１枚単位で表示する表示画面（通常表示画面）Ｐａ１がＬＣＤ５に表示される。この画面Ｐａ１は、画像毎のプリントに関する設定（より詳細には当該画像のプリント枚数設定）を行うプリント設定画面Ｇｐである。
【０１４４】
ここで、実行ボタン７ｅは、「拡大指示（プリント設定画面の画像を拡大表示すべき旨の指示）」の入力に用いられる。
【０１４５】
具体的には、状態ＳＴ６１（図２４）において実行ボタン７ｅが押下され、画像に対する拡大指示が与えられたときには、状態ＳＴ６２に遷移する。状態ＳＴ６２においては、拡大表示画面Ｐａ２がＬＣＤ５に表示される。拡大表示画面Ｐａ２は、通常表示画面Ｐａ１における表示画像（表示コマ）の中央近傍の所定領域を２倍（詳細には、その長さを２倍）に拡大表示した画面である。すなわち、画面Ｐａ２での拡大倍率は２倍である。
【０１４６】
また、この状態ＳＴ６２（図２４）において、実行ボタン７ｅがもう一度押下されると、状態ＳＴ６３（図２５）に遷移する。状態ＳＴ６３においては、拡大表示画面Ｐａ３がＬＣＤ５に表示される。拡大表示画面Ｐａ３は、通常表示画面Ｐａ１における表示画像の中央近傍の所定領域を４倍に拡大表示した画面である。すなわち、画面Ｐａ３での拡大倍率は４倍である。
【０１４７】
このような拡大画像が表示された画面Ｐａ２，Ｐａ３（すなわち拡大プリントプレビュー画面）をユーザーが視認することによって、画像の詳細な確認が行える。
【０１４８】
さらに、この状態ＳＴ６３（図２５）において、実行ボタン７ｅがさらに一度押下されると、状態ＳＴ６４（図２５）に遷移する。状態ＳＴ６４においては、複数（ここでは６枚）の画像Ｐｔ１〜Ｐｔ６が表示された複数コマ表示画面Ｐａ４がＬＣＤ５に表示される。
【０１４９】
なお、状態ＳＴ６４において十字カーソルボタン７ａ〜７ｄが押下されると、プリント設定対象の画像の選択状態が変更される。たとえば、下ボタン７ｂの押下に応じて選択画像はより下側の画像に変更され、右ボタン７ｄの押下に応じて表示画像はより右側の画像に変更される。
【０１５０】
また、この状態ＳＴ６４において、実行ボタン７ｅがさらに押下されると、再び状態ＳＴ６１に復帰する。
【０１５１】
つぎに、各状態ＳＴ６１〜ＳＴ６４のそれぞれから、対応する状態ＳＴ７１〜ＳＴ７４への遷移（すなわち、画像の切替動作）について説明する。
【０１５２】
ここでは、ＬＣＤ５に表示される画像を次の画像に切り替えるべき旨の切替指示（すなわち、コマ送り指示）を、プリントボタン１３によって入力する場合を例示する。
【０１５３】
状態ＳＴ６１（図２４）においてプリントボタン１３が押下されると、プリント設定画面Ｐａ１で設定されている設定内容を確定させて、次のコマを表示するプリント設定画面Ｐｂ１（状態ＳＴ７１）に移行する。詳細には、コマ番号(ｉ−１)の画像を表示するプリント設定画面Ｐａ１において、プリントボタン１３が押下された場合には、コマ番号(ｉ−１)の画像に対する注文処理を行い、コマ番号(ｉ)の画像を表示するプリント設定画面Ｐｂ１に移行する。このとき、状態ＳＴ６１，ＳＴ７１では、いずれも通常表示で画像が表示される。また、画面Ｐｂ１（状態ＳＴ７１）の合計枚数表示Ｇｐ１においては、画面Ｐａ１の合計枚数表示Ｇｐ１に示す「２０枚」よりも１枚増加した合計枚数「２１枚」が表示される。
【０１５４】
また、状態ＳＴ６２においてプリントボタン１３が押下される場合には、プリント設定画面Ｐａ２で設定されている設定内容を確定させて、次のコマを表示するプリント設定画面Ｐｂ２（状態ＳＴ７２）に移行する。詳細には、コマ番号(ｉ−１)の画像を表示するプリント設定画面Ｐａ２において、プリントボタン１３が押下された場合には、コマ番号(ｉ−１)の画像に対する注文処理を行い、コマ番号(ｉ)の画像を表示するプリント設定画面Ｐｂ２に移行する。画面Ｐｂ２（状態ＳＴ７２）の合計枚数表示Ｇｐ１においては、画面Ｐａ２の合計枚数表示Ｇｐ１に示す「２０枚」よりも１枚増加した合計枚数「２１枚」が表示される。
【０１５５】
このとき、状態ＳＴ６２，ＳＴ７２のそれぞれにおいては、ＬＣＤ５において表示する画像は互いに異なるものの、いずれの状態においても画像は拡大された状態で表示される。言い換えれば、プリントボタン１３によって切替指示が与えられたときには、切替後の画像も、切替前の画像と同様に、拡大した状態でＬＣＤ５に表示される。したがって、仮に互いに類似する２枚の画像（具体的には、状態ＳＴ６２での表示画像、および状態ＳＴ７２での表示画像）を拡大して見比べる場合にも、両画像の相違点をより確実に認識することができる。特に、両画像の表示倍率は、いずれも２倍であり、同一であるため、その相違点をより確実に認識することができる。また、画像内での拡大対象範囲は、基準画像の「中央」の「１／４領域（面積換算で基準画像の１／４の領域）」である。言い換えれば、画像内での拡大対象範囲の位置および大きさは切替前後で同一である。したがって、両画像の相違点をより確実に認識することができる。
【０１５６】
同様に、状態ＳＴ６３においてプリントボタン１３が押下される場合には、プリント設定画面Ｐａ３で設定されている設定内容を確定させて、次のコマを表示するプリント設定画面Ｐｂ３（状態ＳＴ７３）に移行する。詳細には、コマ番号(ｉ−１)の画像を表示するプリント設定画面Ｐａ３において、プリントボタン１３が押下された場合には、コマ番号(ｉ−１)の画像に対する注文処理を行い、コマ番号(ｉ)の画像を表示するプリント設定画面Ｐｂ３に移行する。画面Ｐｂ３（状態ＳＴ７３）の合計枚数表示Ｇｐ１においては、画面Ｐａ３の合計枚数表示Ｇｐ１に示す「２０枚」よりも１枚増加した合計枚数「２１枚」が表示される。
【０１５７】
このとき、状態ＳＴ６３，ＳＴ７３は、ＬＣＤ５において表示する画像は異なるものの、その表示倍率は（４倍であり）同一であるため、その相違点をより確実に認識することができる。また、画像内での拡大対象範囲は、基準画像の「中央」の「１／１６領域（面積換算で基準画像の１／１６の領域）」である。したがって、画像内での拡大対象範囲の位置および大きさは切替前後で同一であるので、両画像（状態ＳＴ６３での表示画像、および状態ＳＴ７３での表示画像）を拡大して見比べる場合に、両画像の相違点をより確実に認識することができる。
【０１５８】
また同様に、状態ＳＴ６４においてプリントボタン１３が押下されると、プリント設定画面Ｐａ４で設定されている設定内容を確定させて、複数の画像を一括表示するプリント設定画面Ｐｂ４（状態ＳＴ７４）を表示する状態ＳＴ７４に移行する。この状態ＳＴ７４においては、状態ＳＴ７３でプリント設定の対象とされていたコマ（画像）の次のコマ（画像）がプリント設定の対象とされる。
【０１５９】
なお、状態ＳＴ７１〜ＳＴ７４の相互間の状態遷移は、状態ＳＴ６１〜ＳＴ６４の相互間の状態遷移と同様である。すなわち、実行ボタン７ｅを押下する毎に、状態ＳＴ７１，ＳＴ７２，ＳＴ７３，ＳＴ７４，ＳＴ７１，...と順次に且つ循環的（サイクリック）に移行していく。各状態ＳＴ７１〜ＳＴ７４において受付可能なボタン操作およびそのボタン操作に対する動作は、状態ＳＴ６１〜ＳＴ６４のそれぞれと同様である。
【０１６０】
以上のように、状態ＳＴ６２から状態ＳＴ７２への移行、および、状態ＳＴ６３から状態ＳＴ７３への移行に際しては、拡大表示したまま（より詳細には拡大倍率を同一に維持して）次のコマに移行する。したがって、特定の人物等に関する類似の画像を撮影した場合においても、いずれの画像をプリント対象として決定するべきかをより的確に見定めることができる。言い換えれば、同様の構図（フレーミング）の複数の画像の中から、見栄えがより良い画像をプリント対象として選択することができる。
【０１６１】
例えば、図２４の左側の列の画像（たとえば、画面Ｐａ２の画像）は顔の額（ひたい）から眉間に至る部分に髪の毛の乱れを有しており、図２４の右側の列の画像（たとえば、画面Ｐｂ２の画像）は顔の当該部分に髪の毛の乱れを有していない。このような場合に、画面Ｐａ２から画面Ｐｂ２へと拡大表示のまま移行することによって両画像を詳細に比較した上で、人物の髪の毛が綺麗にまとまっている方の画像（画面Ｐｂ２の画像）をプリント対象として選択することができる。
【０１６２】
あるいは、その画像に「目つむり」がないことを確認して、その画像をプリント対象として選択することも可能である。
【０１６３】
このように、上記のデジタルカメラ１によれば、再度の拡大表示操作を要することなく次の画像も拡大表示されるので、簡易な操作で、拡大表示を用いて複数の画像の中からプリント対象画像を決定することが可能である。
【０１６４】
また、上記においては、プリントボタン１３の押下によるプリント指示入力に応じて、プリント設定画面で設定されている設定内容（プリント枚数等）を確定させるプリント設定機能を実現するとともに、拡大表示を維持したまま次のコマのプリント設定画面に移行する場合を例示したが、これに限定されない。たとえば、削除ボタン８ｂ、あるいは保留ボタン８ｃの押下に応じて、拡大表示を維持したまま次のコマのプリント設定画面に移行するようにしてもよい。
【０１６５】
たとえば、状態ＳＴ６２の状態において、保留ボタン８ｃが押下されると、現在ＬＣＤ５に表示されているコマ(画像)のプリント枚数を０枚にして（言い換えれば、画像のプリント指定を破棄して）、次のコマを拡大表示するプリント設定画面に移行するようにすればよい。拡大表示の倍率は、この移行の前後で同一とすることが好ましい。なお、状態ＳＴ６３において保留ボタン８ｃが押下されたときも同様である。これらの場合には、プリント枚数が増加しないので、画面Ｐｂ２，Ｐｂ３の合計枚数表示Ｇｐ１においては、画面Ｐａ２，Ｐａ３の合計枚数表示Ｇｐ１に示す「２０枚」と同じ合計枚数「２０枚」が表示されることになる。
【０１６６】
この場合、ＬＣＤ５における表示状態が通常表示（状態ＳＴ６１など）、２倍拡大表示（状態ＳＴ６２など）、４倍拡大表示（状態ＳＴ６３など）、複数コマ表示（状態ＳＴ６４など）のいずれの表示状態であるかに依らず、保留ボタン８ｃの押下による保留指示入力に応じたプリント保留機能（対象画像に対するプリント設定枚数をゼロ枚に設定する機能、言い換えれば、対象画像のプリント指定を破棄する機能）が実現される。
【０１６７】
また、状態ＳＴ６２の状態において、削除ボタン８ｂが押下されると、現在ＬＣＤ５に表示されているコマ(画像)を削除して、次のコマを表示するプリント設定画面に移行するようにすればよい。拡大表示の倍率は、この移行の前後で同一であることが好ましい。なお、状態ＳＴ６３において削除ボタン８ｂが押下されたときも同様である。
【０１６８】
この場合、ＬＣＤ５にける表示状態が通常表示（状態ＳＴ６１など）、２倍拡大表示（状態ＳＴ６２など）、４倍拡大表示（状態ＳＴ６３など）、複数コマ表示（状態ＳＴ６４など）のいずれの表示状態であるかに依らず、削除ボタン８ｂの押下による削除指示入力に応じた画像削除機能（対象画像を削除する機能）が実現される。
【０１６９】
このように、保留ボタン８ｃ、削除ボタン８ｂ、およびプリントボタン１３の押下に応じて、それぞれ、保留指示入力、削除指示入力、およびプリント指示入力を与えるとともに、拡大表示状態を維持したまま、次のコマのプリント設定画面に移行させることが可能である。また、この際、保留指示入力、削除指示入力、およびプリント指示入力のうちの少なくとも１つの指示入力は、プリントモードにおいては、拡大表示時点と拡大表示時点以外の所定の時点とで同一のボタンを操作すること（言い換えれば、拡大表示時点であるか否かに依らず同一のボタンを操作すること）によって、入力される。したがって、拡大表示時点であるか否かに依らず同一のボタンを操作することによってプリントモードにおける基本的な指示入力を与えることができるので、操作者の混乱を防止して操作性を向上させることができる。
【０１７０】
また、状態ＳＴ６２，ＳＴ６３のそれぞれにおいて十字カーソルボタン７ａ〜７ｄが押下されると、それぞれに応じて上下左右のいずれかの方向にスクロールする。たとえば、下ボタン７ｂの押下に応じて表示画像は下側にスクロールし、右ボタン７ｄの押下に応じて表示画像は右側にスクロールする。このように、拡大表示される画像のＬＣＤ５における表示対象位置（端的に言えば、画像の拡大対象範囲（の位置））を移動させる「スクロール指示」が、各十字カーソルボタン７ａ〜７ｄによって入力される。
【０１７１】
さらに、スクロール操作の後にプリントボタン１３等が押下されて画像の切替指示が入力されたときには、前の画像のスクロール後の拡大対象範囲に相当する部分が次の画像の拡大対象範囲として選択される。たとえば、前の画像の左上部分が拡大されているときに、プリントボタン１３が押下されると、次の画像の同様の左上部分が拡大されて表示される。切替前後において拡大対象範囲の位置が変化しないので、画像同士の比較を行い易い。
【０１７２】
ところで、十字カーソルボタン７ａ〜７ｄのうち、左ボタン７ｃおよび右ボタン７ｄは、拡大表示時以外の所定の時点（たとえば、状態ＳＴ６１）においては、ＬＣＤ５に表示される画像の切替指示を入力するボタンとしても機能する。したがって、拡大表示時以外の所定の時点においては、プリントボタン１３、保留ボタン８ｃ、削除ボタン８ｂとは別個の切替指示を行うボタンとして、各十字カーソルボタン７ｃ，７ｄを用いることができる。言い換えれば、左ボタン７ｃ（および右ボタン７ｄ）を、画像切替指示入力用途とスクロール指示入力用途で兼用することができる。
【０１７３】
また、十字カーソルボタン７ａ〜７ｄのうち、上ボタン７ａおよび下ボタン７ｂは、拡大表示時以外の所定の時点（たとえば、状態ＳＴ６１）においては、画像ごとのプリント設定を変更する入力（より詳細にはプリント枚数を設定する枚数設定入力）を行うボタンとしても機能する。すなわち、上ボタン７ａ（および下ボタン７ｂ）を、プリント設定入力用途（枚数設定入力用途）とスクロール指示入力用途とで兼用することができる。
【０１７４】
さらに、画像単位のプリント設定内容（たとえばプリント枚数表示Ｇｐ２）は、表示倍率に依らず（拡大表示時点であるか否かに依らず）表示されるので、操作者は表示倍率に依らず（拡大表示時点であるか否かに依らず）画像単位のプリント設定内容を確認することができる。また、全画像についてのプリント設定の合計枚数（たとえば、合計枚数表示Ｇｐ１）は表示倍率に依らず（拡大表示時点であるか否かに依らず）表示されるので、操作者は表示倍率に依らず（拡大表示時点であるか否かに依らず）プリント設定の合計枚数を確認することができる。このように、高い操作性を実現することができる。
【０１７５】
また、同一の実行ボタン７ｅの押下操作に応じて（より詳細には、同一の実行ボタン７ｅを押下するごとに）、通常表示、拡大表示、および複数画像の一括表示（複数コマ表示）を順次に切り替えることが可能であるので、高い操作性を実現することができる。
【０１７６】
＜変形例など＞
以上、この発明の実施の形態について説明したが、この発明は上記説明した内容のものに限定されるものではない。
【０１７７】
たとえば、上記実施形態においては、プリントに関連するプリントモードとして、プリント注文ファイルを作成するモードを例示したが、これに限定されない。具体的には、プリンタを内蔵したデジタルカメラ（あるいはプリンタに接続可能なデジタルカメラ）において、実際に印刷動作を行うためのモードをプリントモードとして採用し、そのプリントモードにおける各画像のプリント指示を設定するプリント設定画面を表示させる際に上記の思想を適用するようにしてもよい。
【図面の簡単な説明】
【０１７８】
【図１】本発明の実施形態に係るデジタルカメラの外観構成を示す図である。
【図２】デジタルカメラの外観構成を示す図である。
【図３】デジタルカメラの内部構成を示す図である。
【図４】メモリカードのデータ配列を示す図である。
【図５】プリント注文ファイルを説明するための図である。
【図６】プリント注文ファイルを説明するための図である。
【図７】プリント設定画面を説明するための図である。
【図８】プリント設定画面を説明するための図である。
【図９】プリントモードにおける動作を説明するための図である。
【図１０】プリントモードにおける動作を説明するための図である。
【図１１】プリントモードにおける動作を説明するための図である。
【図１２】プリントモードにおける動作を説明するための図である。
【図１３】拡大プリントプレビュー画面を説明するための図である。
【図１４】プリント注文記録の動作を示すフローチャートである。
【図１５】プリントメニュー画面を説明するための図である。
【図１６】プリントメニュー画面に表示される各項目を説明するための図である。
【図１７】プリント合計枚数に関する表示を説明するための図である。
【図１８】プリント初期設定の動作を説明するための図である。
【図１９】プリント合計枚数表示設定の動作を説明するための図である。
【図２０】プリント合計枚数表示設定の動作を説明するための図である。
【図２１】デジタルカメラの基本的な動作を示す状態遷移図である。
【図２２】プリントモードと他の４種類のモードとの関係を説明するための図である。
【図２３】エラーチェックの動作を示すフローチャートである。
【図２４】拡大表示における状態遷移を示す図である。
【図２５】拡大表示における状態遷移を示す図である。
【符号の説明】
【０１７９】
１  デジタルカメラ
２  撮影レンズ
３  電源ボタン
４  光学ファインダー
５  ＬＣＤ
７ａ〜７ｄ  十字カーソルボタン
７ｅ  実行ボタン
８ａ  メニューボタン
８ｂ  液晶モニタボタン（削除ボタン）
８ｃ  フラッシュモードボタン（保留ボタン）
１３  プリントボタン
２０  ＣＣＤ
【図１】
2005117326.tif 000003
【図２】
2005117326.tif 000004
【図３】
2005117326.tif 000005
【図４】
2005117326.tif 000006
【図５】
2005117326.tif 000007
【図６】
2005117326.tif 000008
【図７】
2005117326.tif 000009
【図８】
2005117326.tif 000010
【図９】
2005117326.tif 000011
【図１０】
2005117326.tif 000012
【図１１】
2005117326.tif 000013
【図１２】
2005117326.tif 000014
【図１３】
2005117326.tif 000015
【図１４】
2005117326.tif 000016
【図１５】
2005117326.tif 000017
【図１６】
2005117326.tif 000018
【図１７】
2005117326.tif 000019
【図１８】
2005117326.tif 000020
【図１９】
2005117326.tif 000021
【図２０】
2005117326.tif 000022
【図２１】
2005117326.tif 000023
【図２２】
2005117326.tif 000024
【図２３】
2005117326.tif 000025
【図２４】
2005117326.tif 000026
【図２５】
2005117326.tif 000027